(57)【要約】【課題】蓄電デバイスの特性を精度よく測定することができる蓄電デバイス特性測定装置、蓄電デバイス特性測定方法、及び蓄電デバイス特性測定用プログラムを提供する。【解決手段】蓄電デバイス特性測定装置１Ａは、車載用の蓄電デバイス１０の特性を測定する装置であって、蓄電デバイス１０に電流を入力する電流源２０と、電流源２０から出力される電流量を制御する制御部３０と、蓄電デバイス１０の端子間電圧を測定する電圧センサ４０と、蓄電デバイス１０に入力される電流の大きさを測定する電流センサ５０と、を備える。制御部３０は、定電流放電状態、定電流放電状態後の休止状態、定電圧充電状態、及び定電圧充電状態後の休止状態をそれぞれ模擬する期間を所定の測定時間内に少なくとも１回ずつ含む電流波形を電流源２０から出力させる。【選択図】図１
2018040677.tif 000002
【特許請求の範囲】
【請求項１】
車載用の蓄電デバイスの特性を測定する装置であって、
前記蓄電デバイスに電流を入力する電流源と、
前記電流源から出力される電流量を制御する制御部と、
前記蓄電デバイスの端子間電圧を測定する電圧センサと、
前記蓄電デバイスに入力される電流の大きさを測定する電流センサと、
を備え、
前記制御部が、定電流放電状態、前記定電流放電状態後の休止状態、定電圧充電状態、及び前記定電圧充電状態後の休止状態をそれぞれ模擬する期間を所定の測定時間内に少なくとも１回ずつ含む電流波形を電流源から出力させることを特徴とする、蓄電デバイス特性測定装置。
【請求項２】
前記電流波形が、前記定電流放電状態後のクランキング状態を模擬する期間を少なくとも１回、更に含むことを特徴とする請求項１に記載の蓄電デバイス特性測定装置。
【請求項３】
前記制御部が、前記定電流放電状態を模擬する期間及び前記定電圧充電状態を模擬する期間のうち少なくとも一方における電流量を充電率に応じて変化させることを特徴とする請求項１又は２に記載の蓄電デバイス特性測定装置。
【請求項４】
前記電流波形が、前記定電流放電状態を模擬する期間を複数回含み、該複数回の期間のうち少なくとも２回の期間の電流量が互いに異なることを特徴とする請求項１〜３のいずれか１項に記載の蓄電デバイス特性測定装置。
【請求項５】
前記電流波形が、前記定電圧充電後の休止状態を模擬する期間を複数回含み、該複数回の期間のうち少なくとも２回の期間の長さが互いに異なることを特徴とする請求項１〜４のいずれか１項に記載の蓄電デバイス特性測定装置。
【請求項６】
車載用の蓄電デバイスの特性を測定する方法であって、
電流源からの電流を前記蓄電デバイスへ入力しながら、前記蓄電デバイスの端子間電圧、及び前記蓄電デバイスに入力される電流の大きさを測定するステップを含み、
前記ステップにおいて、定電流放電状態、前記定電流放電状態後の休止状態、定電圧充電状態、及び前記定電圧充電状態後の休止状態をそれぞれ模擬する期間を所定の測定時間内に少なくとも１回ずつ含む電流波形を前記電流源から出力することを特徴とする、蓄電デバイス特性測定方法。
【請求項７】
車載用の蓄電デバイスの特性を測定する装置において、前記蓄電デバイスに電流を入力する電流源から出力される電流量を制御する制御部を動作させるプログラムであって、
定電流放電状態、前記定電流放電状態後の休止状態、定電圧充電状態、及び前記定電圧充電状態後の休止状態をそれぞれ模擬する期間を所定の測定時間内に少なくとも１回ずつ含む電流波形を前記電流源から出力させるように前記制御部を動作させることを特徴とする、蓄電デバイス特性測定用プログラム。
【発明の詳細な説明】
【技術分野】
【０００１】
本発明は、蓄電デバイス特性測定装置、蓄電デバイス特性測定方法、及び蓄電デバイス特性測定用プログラムに関するものである。
【背景技術】
【０００２】
特許文献１には、電池モデル同定方法が記載されている。この方法では、電池に入力される電流波形を電流センサを用いて測定し、電池の端子電圧の電圧波形を電圧センサを用いて測定する。そして、システム同定演算部が、これらの電流波形及び電圧波形に基づいて、電池モデルのパラメータ同定を行う。電流波形は方形波であり、電流の振幅は一定値である。
【先行技術文献】
【特許文献】
【０００３】
【特許文献１】特開２０１６−３９６３号公報
【発明の概要】
【発明が解決しようとする課題】
【０００４】
現在、車載用蓄電デバイスとして、鉛蓄電池、リチウムイオン電池、リチウムイオンキャパシタといった様々な蓄電デバイスが用いられている。そして、これらの電池を組み合わせて、様々な種類のハイブリッド方式が実用化されている。例えば、メイン蓄電池とは別に、減速の際のエネルギー回生及びアイドリングストップ後のセルモータの駆動のためのサブ蓄電池を設ける、いわゆるμＨＥＶ方式が近年特に有用とされている。
【０００５】
一方、従来より、車両の燃費シュミレーションにおいては、エンジン及び蓄電デバイスといった様々な動力源並びに負荷をモデル化し、規定の走行パターンを該モデルに入力して燃費を算出することが行われている。そのようなモデルにおいて、ハイブリッド方式における複雑化した蓄電デバイス構成を正確にモデル化することは、燃費を精度よく算出するために極めて重要である。蓄電デバイスをモデル化する際には、所定の電流波形を実際の蓄電デバイスに入力し、その端子間電圧及び入力電流を測定して蓄電デバイスの電流−電圧特性を得、その後、得られた実際の蓄電デバイスの特性と蓄電デバイスモデルによる推定特性とを比較することにより、蓄電デバイスモデルのパラメータを同定する。従って、正確な蓄電デバイスモデルを得るためには、実際の蓄電デバイスの特性を精度よく測定することが重要である。
【０００６】
例えば特許文献１に記載されたような従来のパラメータ同定方法では、ある一定のピーク値を有する方形波状の電流を蓄電デバイスに繰り返し入力し、蓄電デバイスの端子間電圧の変化を測定する。しかしながらこのような方法では、蓄電デバイスの電流−電圧特性を正確に測定することは難しい。なぜなら、蓄電デバイスの電流−電圧特性は厳密には非線形であり、入力電流の大きさによって特性が変化するからである。
【０００７】
本発明は、このような問題点に鑑みてなされたものであり、蓄電デバイスの特性を精度よく測定することができる蓄電デバイス特性測定装置、蓄電デバイス特性測定方法、及び蓄電デバイス特性測定用プログラムを提供することを目的とする。
【課題を解決するための手段】
【０００８】
上述した課題を解決するために、本発明の蓄電デバイス特性測定装置は、車載用の蓄電デバイスの特性を測定する装置であって、蓄電デバイスに電流を入力する電流源と、電流源から出力される電流量を制御する制御部と、蓄電デバイスの端子間電圧を測定する電圧センサと、蓄電デバイスに入力される電流の大きさを測定する電流センサと、を備え、制御部が、定電流放電状態、定電流放電状態後の休止状態、定電圧充電状態、及び定電圧充電状態後の休止状態をそれぞれ模擬する期間を所定の測定時間内に少なくとも１回ずつ含む電流波形を電流源から出力させることを特徴とする。
【０００９】
また、本発明の蓄電デバイス特性測定方法は、車載用の蓄電デバイスの特性を測定する方法であって、電流源からの電流を蓄電デバイスへ入力しながら、蓄電デバイスの端子間電圧、及び蓄電デバイスに入力される電流の大きさを測定するステップを含み、ステップにおいして、定電流放電状態、定電流放電後の休止状態、定電圧充電状態、及び定電圧充電後の休止状態をそれぞれ模擬する期間を所定の測定時間内に少なくとも１回ずつ含む電流波形を電流源から出力することを特徴とする。
【００１０】
また、本発明の蓄電デバイス特性測定用プログラムは、車載用の蓄電デバイスの特性を測定する装置において、蓄電デバイスに電流を入力する電流源から出力される電流量を制御する制御部を動作させるプログラムであって、定電流放電状態、定電流放電状態後の休止状態、定電圧充電状態、及び定電圧充電状態後の休止状態をそれぞれ模擬する期間を所定の測定時間内に少なくとも１回ずつ含む電流波形を電流源から出力させるように制御部を動作させることを特徴とする。
【００１１】
上記の蓄電デバイス特性測定装置、蓄電デバイス特性測定方法、及び蓄電デバイス特性測定用プログラムでは、電流源から出力される電流波形が、定電流放電状態、定電流放電状態後の休止状態、定電圧充電状態、及び定電圧充電状態後の休止状態をそれぞれ模擬する期間を所定の測定時間内に少なくとも１回ずつ含む。すなわち、現実の車両の走行パターンにおける蓄電デバイスへの入力電流の変化、具体的には定電流放電状態、定電流放電状態後の休止状態、定電圧充電状態、及び定電圧充電状態後の休止状態を全て包含した電流波形を蓄電デバイスに入力する。これにより、非線形である蓄電デバイスの特性を精度よく測定することができる。
【００１２】
また、上記の蓄電デバイス特性測定装置は、電流波形が、定電流放電状態後のクランキング状態を模擬する期間を少なくとも１回、更に含むことを特徴としてもよい。これにより、アイドリングストップ後の再始動における蓄電デバイスへの入力電流の変化を更に含めて、蓄電デバイスの特性をより精度よく測定できる。
【００１３】
また、上記の蓄電デバイス特性測定装置は、制御部が、定電流放電状態を模擬する期間及び定電圧充電状態を模擬する期間のうち少なくとも一方における電流量を充電率に応じて変化させることを特徴としてもよい。蓄電デバイスの特性は充電率によって異なるので、制御部がこのような動作を行うことにより、充電率に応じたより正確な蓄電デバイス特性を測定することができる。
【００１４】
また、上記の蓄電デバイス特性測定装置は、電流波形が、定電流放電状態を模擬する期間を複数回含み、該複数回の期間のうち少なくとも２回の期間の電流量が互いに異なることを特徴としてもよい。これにより、様々な電流量に対する蓄電デバイスの特性に関するデータを収集し、蓄電デバイスの特性をより精度よく測定することができる。
【００１５】
また、上記の蓄電デバイス特性測定装置は、電流波形が、定電圧充電後の休止状態を模擬する期間を複数回含み、該複数回の期間のうち少なくとも２回の期間の長さが互いに異なることを特徴としてもよい。これにより、様々な休止時間後の蓄電デバイスの特性に関するデータを収集し、蓄電デバイスの特性をより精度よく測定することができる。
【発明の効果】
【００１６】
本発明による蓄電デバイス特性測定装置、蓄電デバイス特性測定方法、及び蓄電デバイス特性測定用プログラムによれば、蓄電デバイスの特性を精度よく測定することができる。
【図面の簡単な説明】
【００１７】
【図１】本発明の一実施形態による蓄電デバイス特性測定装置の構成を示す図である。
【図２】電流源から出力される電流波形の一例を示すグラフである。
【図３】（ａ）図２のＡ部を拡大して示すグラフである。（ｂ）図２のＢ部を拡大して示すグラフである。
【図４】本発明の一実施形態による蓄電デバイス特性測定方法を示すフローチャートである。
【発明を実施するための形態】
【００１８】
以下、添付図面を参照しながら本発明による蓄電デバイス特性測定装置、蓄電デバイス特性測定方法、蓄電デバイス特性測定用プログラムの実施の形態を詳細に説明する。なお、図面の説明において同一の要素には同一の符号を付し、重複する説明を省略する。なお、以下の説明において、蓄電デバイスへの入力電流とは、蓄電デバイスに入力される充電電流および蓄電デバイスから出力される放電電流の双方を指し、入力電流の符号が正である場合は充電を表し、入力電流の符号が負である場合は放電を表す。
【００１９】
図１は、本発明の一実施形態による蓄電デバイス特性測定装置１Ａの構成を示す図である。本実施形態の蓄電デバイス特性測定装置１Ａは、車載用の蓄電デバイス１０の特性を測定する装置である。ここで、車載用の蓄電デバイス１０とは、例えば鉛蓄電池、リチウムイオン電池、リチウムイオンキャパシタ、等を指す。特に、μＨＥＶ方式の車両においては、メイン電池として鉛蓄電池が用いられ、サブ電池として鉛蓄電池、リチウムイオン電池、リチウムイオンキャパシタなどが用いられる。図１に示されるように、この蓄電デバイス特性測定装置１Ａは、電流源２０と、電流源２０を制御する制御部３０と、電圧センサ４０と、電流センサ５０とを備えている。
【００２０】
電流源２０は、蓄電デバイス１０に電流を入力する電気回路である。通常、車両の電流源はエンジンの回転を動力源として発電する三相交流発電機であり、オルタネータと呼ばれる。オルタネータの両端は全波整流回路に接続されており、オルタネータからの出力電流は全波整流回路によって直流電流に変換される。ここでは、オルタネータ及び全波整流回路を模擬する直流電流源が電流源２０として用いられる。電流源２０の正極２２は蓄電デバイス１０の一方の端子１１と電気的に接続され、電流源２０の負極２３は蓄電デバイス１０の他方の端子１２と電気的に接続される。
【００２１】
制御部３０は、電流源２０が有する制御端子２１と電気的に接続されており、該制御端子２１に電気信号を送ることによって、電流源２０から出力される電流量を制御する。制御部３０は、例えばＣＰＵ及びメモリを有するコンピュータによって構成され、予め記録されたプログラムに従って動作する。なお、制御部３０の詳細な動作については後述する。
【００２２】
電圧センサ４０は、蓄電デバイス１０の端子間電圧を測定する。電圧センサ４０の一端４１は蓄電デバイス１０の一方の端子１１に電気的に接続され、電圧センサ４０の他端４２は蓄電デバイス１０の他方の端子１２に電気的に接続される。電圧センサ４０によって測定された蓄電デバイス１０の端子間電圧は、蓄電デバイス１０の特性の一部を示す時系列データとして記録装置６０に記録される。
【００２３】
電流センサ５０は、蓄電デバイス１０に入力される電流の大きさを測定する。電流センサ５０の一端５１は蓄電デバイス１０の他方の端子１２（または一方の端子１１）に電気的に接続され、電流センサ５０の他端５２は電流源２０の負極２３（または正極２２）に電気的に接続される。電流源２０から出力される電流量は制御部３０によって制御されるが、電流源２０と蓄電デバイス１０との間に存在する電気抵抗等により、蓄電デバイス１０に入力される電流量はわずかに変動する。電流センサ５０は、蓄電デバイス１０に入力される電流量を正確に測定する。電流センサ５０によって測定された蓄電デバイス１０への入力電流量は、蓄電デバイス１０の特性の一部を示す時系列データとして記録装置６０に記録される。なお、電流センサ５０により測定された電流量は、制御部３０にフィードバックされてもよい。
【００２４】
ここで、制御部３０の動作について詳細に説明する。図２は、本実施形態の電流源２０から出力される電流波形の一例を示すグラフである。図３（ａ）は、図２のＡ部を拡大して示すグラフである。図３（ｂ）は、図２のＢ部を拡大して示すグラフである。これらの図において、縦軸は蓄電デバイス１０に入力される電流量を示し、横軸は経過時間を示す。電流量は、蓄電デバイス１０への充電の場合は正の数値、放電の場合は負の数値として表される。制御部３０は、例えば図２に示される電流波形を電流源２０から出力させる。
【００２５】
図３（ａ）及び図３（ｂ）に示されるように、この電流波形は、第１期間Ｄ１、第２期間Ｄ２、第３期間Ｄ３、第４期間Ｄ４、及び第５期間Ｄ５を、所定の測定時間内に少なくとも１回ずつ含む。所定の測定時間は、例えば１２００秒である。基本的には、図３（ａ）に示されるように、第１期間Ｄ１、第２期間Ｄ２、第３期間Ｄ３、及び第４期間Ｄ４が連続して一つの単位波形を構成する。また、図３（ｂ）に示されるように、第１期間Ｄ１及び第５期間Ｄ５が連続して一つの単位波形を構成することもある。そして、この電流波形においては、これらの単位波形が、時間方向に任意の順序で配置される。前者の単位波形の出現頻度は、後者の単位波形の出現頻度よりも多い。なお、期間Ｄ１〜Ｄ５の並び順はこれらの図に示されたものに限られず、期間Ｄ１〜Ｄ５がランダムに配置されてもよい。
【００２６】
第１期間Ｄ１は、定電流放電状態を模擬する期間である。この第１期間Ｄ１は、アイドリングストップによりエンジンが停止してオルタネータの発電が不足し、居室内外の電気設備のための電力を蓄電デバイス１０から放電する状態を模擬する。このときの放電電流量は時間に対して一定とされる。この第１期間Ｄ１において制御部３０により制御される要素は、期間の長さ及び電流量である。第１期間Ｄ１の長さは、例えば１０秒以上であることが望ましい。
【００２７】
図２に示される電流波形は、第１期間Ｄ１を複数回含んでいる。この場合、複数回の第１期間Ｄ１のうち少なくとも２回の期間の電流量が互いに異なっていることが望ましい。例えば、初回の第１期間Ｄ１では１０（Ａ）、２回目の第１期間Ｄ１では２０（Ａ）、３回目の第１期間Ｄ１では３０（Ａ）、４回目の第１期間Ｄ１では４０（Ａ）といったように、第１期間Ｄ１の電流量を次第に上げていき、ｎ回目（ｎは３以上の整数）の第１期間Ｄ１で最初の１０（Ａ）に戻してもよい。このように、放電電流を変化させることにより、複数の第１期間Ｄ１毎に時定数を定めることができる。その場合、複数回の第１期間Ｄ１のうち少なくとも１回は、電流量を蓄電デバイス１０若しくはオルタネータの最大定格電流とすることが好ましい。なお、第１期間Ｄ１の電流量が複数の第１期間Ｄ１ごとに変化する場合、その後に続く第３期間Ｄ３での電流量も複数の第３期間Ｄ３ごとに変化する。
【００２８】
第２期間Ｄ２は、定電流放電状態後のクランキング状態を模擬する期間である。すなわち、この第２期間Ｄ２は、エンジンが再始動する際にセルモータを駆動させるための電力を蓄電デバイス１０から放電する状態を模擬する。このときの放電電流量も時間に対して略一定であるが、第１期間Ｄ１と比べてその時間は極めて短く、電流量の絶対値は大きい。この第２期間Ｄ２において制御部３０により制御される要素は、期間の長さ及び電流量である。
【００２９】
第３期間Ｄ３は、定電圧充電状態を模擬する期間である。この第３期間Ｄ３は、エンジンが再始動した後、エンジンの回転を動力源としてオルタネータが発電し、蓄電デバイス１０を充電する状態を模擬する。このとき、オルタネータからの出力電流が急激に上昇し、それに伴って電圧も上昇するが、蓄電デバイス１０及び他の電気装備の保護のため電圧の上限が一定値に制限される。従って、この第３期間Ｄ３は定電圧充電となり、蓄電デバイス１０に入力される電流量は時間の経過とともに次第に低下する。この第３期間Ｄ３において制御部３０により制御される要素は、ピーク電流量及び時定数である。第３期間Ｄ３の長さは、第３期間Ｄ３における総充電量が第１期間Ｄ１及び第２期間Ｄ２における総放電量と等しくなるように定められる。但し、そのように定めた場合に１０秒未満となってしまう場合には、当該長さを１０秒に設定することが望ましい。
【００３０】
第４期間Ｄ４は、定電圧充電状態後の休止状態を模擬する期間である。この第４期間Ｄ４は、蓄電デバイス１０が充電されたのち、オルタネータの電力が電気設備によって全て消費され、蓄電デバイス１０が充電も放電も行わない状態を模擬する。この第４期間Ｄ４において電流量はゼロであり、制御部３０により制御される要素は期間の長さのみである。
【００３１】
図２に示される電流波形は、第４期間Ｄ４を複数回含んでいる。この場合、複数回の第４期間Ｄ４のうち少なくとも２回の期間の長さが互いに異なってもよい。例えば、第４期間Ｄ４の長さを次第に長くし、ｎ回目（ｎは３以上の整数）の第４期間Ｄ４で最初の長さに戻してもよい。
【００３２】
第５期間Ｄ５は、定電流放電状態後の休止状態を模擬する期間である。この第５期間Ｄ５は、アイドリングストップによりエンジンが停止して電気設備のための電力を蓄電デバイス１０から供給した後、電気設備が全て停止され、蓄電デバイス１０が充電も放電も行わない状態を模擬する。この第４期間Ｄ４において電流量はゼロであり、制御部３０により制御される要素は期間の長さのみである。
【００３３】
電流波形は、第５期間Ｄ５を複数回含んでもよい。この場合、複数回の第５期間Ｄ５のうち少なくとも２回の期間の長さが互いに異なってもよい。例えば、第５期間Ｄ５の長さを次第に長くし、ｎ回目（ｎは３以上の整数）の第５期間Ｄ５で最初の長さに戻してもよい。
【００３４】
制御部３０は、第１期間Ｄ１、第２期間Ｄ２、及び第３期間Ｄ３の各電流量を充電率（State Of Charge；ＳＯＣ）に応じて変化させてもよい。例えば、充電率が大きい場合には、小さい場合に比べて充電電流値を小さくすることが望ましい。なお、一回の測定における充電率の変化量が所定の閾値（例えば３％）以下となるように、第１期間Ｄ１、第２期間Ｄ２及び第３期間Ｄ３における放電量及び充電量が設定される。
【００３５】
図４は、本実施形態の蓄電デバイス特性測定方法を示すフローチャートである。制御部３０を動作させるプログラムは、図４に示されるフローチャートに従って制御部３０を動作させる。
【００３６】
まず、第１ステップＳ１１として、測定対象の蓄電デバイス１０に電流源２０、電圧センサ４０及び電流センサ５０を接続し、電圧センサ４０及び電流センサ５０からの出力の記録を開始する。次に、第２ステップＳ１２として、制御部３０によって波形が制御された電流の供給を開始する。ここで供給される電流の波形は、図２に示された波形、すなわち上述した第１期間Ｄ１ないし第５期間Ｄ５を含むものである。その後、電流源２０からの電流を蓄電デバイス１０へ入力しながら、蓄電デバイス１０の端子間電圧、及び蓄電デバイス１０に入力される電流の大きさを測定する（第３ステップＳ１３）。
【００３７】
以上に説明した本実施形態の蓄電デバイス特性測定装置１Ａ、蓄電デバイス特性測定方法、及び蓄電デバイス特性測定用プログラムによって得られる効果について説明する。例えば特許文献１に記載されたような従来のパラメータ同定方法では、ピーク値が一定である方形波状の電流を蓄電デバイスに繰り返し入力し、蓄電デバイスの端子間電圧の変化を測定する。しかしながらこのような方法では、蓄電デバイスの特性を正確に測定することは難しい。蓄電デバイスの特性が線形であれば問題ないが、実際には蓄電デバイスの特性（特に分極特性）は非線形であり、充放電の電流の大きさによって特性が変化するからである。これに対し、本実施形態の蓄電デバイス特性測定装置１Ａ、蓄電デバイス特性測定方法、及び蓄電デバイス特性測定用プログラムでは、電流源２０から出力される電流波形が、定電流放電状態を模擬する第１期間Ｄ１、定電圧充電状態を模擬する第３期間Ｄ３、定電圧充電後の休止状態を模擬する第４期間Ｄ４、及び定電流放電後の休止状態を模擬する第５期間Ｄ５を所定の測定時間内に少なくとも１回ずつ含む。すなわち、現実の車両の走行パターンにおける蓄電デバイス１０への入力電流の変化、具体的には定電流放電状態、定電流放電後の休止状態、定電圧充電状態、及び定電圧充電後の休止状態を全て包含した電流波形を蓄電デバイス１０に入力する。これにより、走行パターンにおける様々な電流入力状況を網羅し、非線形である蓄電デバイス１０の特性を精度よく測定することができる。また、休止状態を含むので、休止時の電圧戻り（戻り分極）を再現することができ、蓄電デバイス１０の特性を更に精度よく測定することができる。
【００３８】
また、本実施形態のように、電流源２０から出力される電流波形は、定電流放電後のクランキング状態を模擬する第２期間Ｄ２を少なくとも１回含んでもよい。これにより、特に鉛蓄電池の特性測定の際に、アイドリングストップ後の再始動（セルスタート）における蓄電デバイス１０への入力電流の変化を電流波形に更に含め、蓄電デバイス１０の特性をより精度よく測定できる。
【００３９】
また、前述したように、制御部３０は、定電流放電状態を模擬する第１期間Ｄ１及び定電圧充電状態を模擬する第３期間Ｄ３のうち少なくとも一方の電流量を充電率（ＳＯＣ）に応じて変化させてもよい。蓄電デバイス１０の特性は充電率によって異なるので、制御部３０がこのような動作を行うことにより、充電率に応じたより正確な蓄電デバイス特性を測定することができる。
【００４０】
また、前述したように、電流源２０から出力される電流波形が、定電流放電状態を模擬する第１期間Ｄ１を複数回含み、該複数回の第１期間Ｄ１のうち少なくとも２回の期間の電流量が互いに異なってもよい。これにより、様々な電流量に対する蓄電デバイス１０の特性に関するデータを収集し、蓄電デバイス１０の特性をより精度よく測定することができる。
【００４１】
また、前述したように、電流源２０から出力される電流波形が、定電圧充電後の休止状態を模擬する第４期間Ｄ４を複数回含み、該複数回の第４期間Ｄ４のうち少なくとも２回の期間の長さが互いに異なってもよい。これにより、様々な休止時間後の蓄電デバイス１０の特性に関するデータを収集し、蓄電デバイス１０の特性をより精度よく測定することができる。
【００４２】
本発明による蓄電デバイス特性測定装置、蓄電デバイス特性測定方法、及び蓄電デバイス特性測定用プログラムは、上述した実施形態に限られるものではなく、他に様々な変形が可能である。例えば、上記実施形態では定電流放電状態、クランキング状態、定電流放電状態後の休止状態、定電圧充電状態、及び定電圧充電状態後の休止状態をそれぞれ模擬する期間を電流波形に含めているが、これら以外の期間を更に含めてもよい。また、上記実施形態ではクランキング状態を模擬する期間を電流波形に含めているが、例えばリチウムイオン電池またはリチウムイオンキャパシタといった鉛蓄電池以外の蓄電デバイスの特性を測定する際には、クランキング状態を模擬する期間を省いてもよい。
【符号の説明】
【００４３】
１Ａ…蓄電デバイス特性測定装置、１０…蓄電デバイス、１１，１２…端子、２０…電流源、２１…制御端子、２２…正極、２３…負極、３０…制御部、４０…電圧センサ、５０…電流センサ、６０…記録装置、Ｄ１…第１期間、Ｄ２…第２期間、Ｄ３…第３期間、Ｄ４…第４期間、Ｄ５…第５期間。
【図１】
2018040677.tif 000003
【図２】
2018040677.tif 000004
【図３】
2018040677.tif 000005
【図４】
2018040677.tif 000006